(57)【要約】例えばワイヤレスマイクロホン装置の一部として使用される無線による送信器に関し、この送信器は音声信号入力（Ｔ９ ）を有する。音声信号源（１１、１３）からの音声信号はこの音声信号入力（Ｔ９ ）と音声信号デコーダ装置（９）を介して導入され、送信のために１つ又は複数の選択可能な搬送周波数（ｆｃ ）を含む周波数帯が、使用される地域毎にプログラムされる。この周波数帯における分離周波数は手動操作（８）により選択される。
2004525529.tif 000002
【特許請求の範囲】
【請求項１】
アンテナと、制御信号入力を有して出力に送信信号を生成する送信信号生成装置を備え、前記制御信号入力に適用される制御信号は、前記送信信号に関わる少くとも１つの搬送周波数を含む周波数帯及び前記送信信号の電力の少くとも一方を制御し、かつ、前記送信信号生成装置の前記出力は前記アンテナに接続されてなり、更に入力におけるコード化された音声信号に応答して出力に制御信号を生成する音声信号／制御信号デコーダ装置を備え、前記デコーダ装置の前記出力は前記送信信号生成装置の前記制御信号入力に接続されてなることを特徴とする無線による送信器。
【請求項２】
前記デコーダ装置の前記入力は、前記送信器の少くとも１つの音声信号入力タブに接続されてなることを特徴とする請求項１記載の送信器。
【請求項３】
前記入力タブは、少くとも１つの外部音声信号源に接続されてなることを特徴とする請求項２記載の送信器。
【請求項４】
前記音声信号源は、マイクロホンと、ＭＰ３プレイヤ、ＣＤプレイヤ、テーププレイヤ、ＤＶＤプレイヤを含むオーディオプレイヤ及びインターネット接続装置の少くとも１つでなることを特徴とする請求項３記載の送信器。
【請求項５】
前記送信信号生成装置は、前記送信信号生成装置の前記出力に接続されて搬送周波数信号入力と出力を有し、かつ、前記コード化された音声信号の前記入力に接続された変調入力を有する変調装置を備えてなることを特徴とする請求項１ないし４のいずれかに記載の送信器。
【請求項６】
前記送信信号生成装置は、前記送信信号を振巾変調信号、周波数変調信号、位相変調信号又は変調パルス信号として生成してなることを特徴とする請求項１ないし５のいずれかに記載の送信器。
【請求項７】
出力が前記デコーダ装置の前記入力に接続された少くとも１つのマイクロホンを更に備えてなることを特徴とする請求項１ないし６のいずれかに記載の送信器。
【請求項８】
前記コード化された音声信号は、２階調多周波信号でなることを特徴とする請求項１ないし７のいずれかに記載の送信器。
【請求項９】
前記デコーダ装置は、１００Ｈｚ以上２０ＫＨｚ以内の周波数範囲内のコード化された音声信号を受信してなることを特徴とする請求項１ないし８のいずれかに記載の送信器。
【請求項１０】
前記周波数帯は、前記送信信号の複数の搬送周波数を有してなることを特徴とする請求項１ないし９のいずれかに記載の送信器。
【請求項１１】
手動操作可能とされて出力を有する選択装置と、前記送信信号の搬送周波数の前記複数の搬送周波数からの選択を制御する制御信号入力を有する搬送周波数生成装置を更に備え、かつ、前記選択装置の前記出力は、前記搬送周波数生成装置の前記制御信号入力に接続されてなることを特徴とする請求項１０記載の送信器。
【請求項１２】
前記コード化された音声信号は、前記周波数帯の少くとも１つにおいて複数の搬送周波数を定義してなることを特徴とする請求項１ないし１１のいずれかに記載の送信器。
【請求項１３】
電気／機械出力トランスデューサと無線による受信器を有して出力が前記出力トランスデューサに接続された聴音装置と、請求項１ないし１２のいずれかに記載の無線による送信器を備え、前記送信器から送信された信号が前記聴音装置で受信され変調されて前記出力トランスデューサに作用するようにしてなることを特徴とする聴音システム。
【請求項１４】
コード化された複数の音声信号ファイルを備えてなる音声信号キャリア。
【発明の詳細な説明】
【０００１】
本発明は、無線送信器及び聴音システムに関する。
【０００２】
本発明は、いわゆるワイヤレスマイクロホンシステムに見られる問題に基づいている。ここにいうワイヤレスマイクロホンシステムは、入力マイクロホン装置を有する送信器装置とこれに対応する無線による受信器を有する聴音装置を含むシステムを意味している。
【０００３】
音声信号は、聴音システムの装着者が聴音装置から離れて、例えばベルトの辺に取付けた送信器装置のマイクロホン装置により検知され、この音声信号は、変調された搬送周波数信号として装着者の聴音装置における受信器に無線で送信される。
【０００４】
変調された音声信号の搬送周波数信号は、聴音装置において復調され、これにより回復された音声信号は、聴音装置におけるスピーカ装置のような電気／機械トランスデューサに接続される。
【０００５】
このようなワイヤレスマイクロホンシステムの一部を形成する無線送信器装置に限らず、このようなシステムにおける他の無線送信器装置にも同様に問題と課題が存在する。従って、本発明は、このような広い意味の無線送信器における問題解決の手段を提供する。
【０００６】
無線送信器は、一方では１つの周波数帯（チャンネルとも呼ばれる）の範囲内で選択可能な複数の周波数により、又は他方では複数の周波数帯の範囲内で同様に複数の周波数により、アンテナを介して送信する選択の自由を有する。このような送信器において使用可能な周波数帯は、通常送信器内におけるハード配線をスイッチ切換えにより変更することができる。
【０００７】
にも拘わらず、多くの国において周波数帯は、例えば特別の許可なしに使用することが法的に制限されている。また、このような特別の許可に関わる料金や租税の支払を要しない信号送信の場合でも、その電力、即ち実効放射電力（Ｅｆｆｅｃｔｉｖｅ Ｒａｄｉａｔｅｄ Ｐｏｗｅｒ，ＥＲＰ） が制限されている。これらの制限は、国によって相異する。
【０００８】
送信器を使用する装着者が搬送周波数帯の切換セレクタを自由に操作し、従って使用する周波数帯を自由に選択すれば、故意でなくともそれぞれの土地の規制に違反することとなる。この問題は、特に装着者がその国で認められた以外の周波数帯を選択できず、特定の周波数帯における搬送周波数のみを選択するように、かつ、認められた以外の高い出力電力を選択できないように、送信器を個々の仕立てにより形成し、それぞれの国の規制に適合するようにすれば、解決することができる。しかし、当然のことながら、これは製造者には設備面、材料供給面並びに生産技術面で厳しい問題を生じさせ、生産コストを大きく増大させる。
【０００９】
また、個々の装着者が国から国へ普通に移動する場合には、同じ１つの送信器を国際的に使用することが必要となる。
【００１０】
それぞれの周波数帯をハード配線する代りに、選択可能な周波数帯及び、必要により、得られる電力レベルに関わる情報をメモリーに、例えば電気的消去可能プログラム可能読出し専用メモリー（ＥＥＰＲＯＭ）のような不揮発性かつ再プログラム可能なメモリーに、記憶させることができる。これにより、送信器について認められたこれらの情報及びその他の放射電力パラメータのそれぞれの関係を送信器内でＥＥＰＲＯＭにより物理的にプログラムすることにより、生産の後方段階でプログラムを実施できるという利点が得られる。しかしながら、別の国で周波数帯の再配分を行う場合は、送信器を回収し、専門の調整センターにおいて改めてプログラムを実施することが必要である。
【００１１】
従って、本発明は、専門家によるＥＥＰＲＯＭのプログラムのような高度な手続きを必要とせず未熟練者によっても送信器の周波数帯及び／又は有効放射電力を設定することのできる安全かつ柔軟な手段を提供することを課題とする。
【００１２】
この課題は、本発明による無線による送信器により解決される、この送信器は、アンテナと、制御信号入力を有して出力に送信信号を生成する送信信号生成装置を備える。前記制御信号入力に適用される制御信号は、前記送信信号に関わる少くとも１つの搬送周波数を含む周波数帯及び前記送信信号の電力の少くとも一方を制御する。前記送信信号生成装置の出力は前記アンテナに接続される。更に、入力におけるコード化された音声信号に応答して出力に制御信号を生成する音声信号／制御信号デコーダ装置が設けられ、このデコーダ装置の出力は前記送信信号生成装置の制御信号入力に接続される。
【００１３】
ここにいう音声信号とは、一般的にマイクロホンにより、更に一般的には機械／電気トランスデューサにより変換することができる信号及び超音波マイクロホンを考えた場合は超音波周波数をもカバーする信号を意味する。にも拘わらず、好ましい実施の形態においては、音声信号は１００Ｈｚないし２０ＫＨｚの周波数範囲における信号をカバーしている。従って、コード化された音声信号は、高周波搬送信号上には変調されない。好ましくは本発明において用いられるコード化された音声信号の例としては、音声通信技術においてよく知られたいわゆる２階調多周波（ＤＴＭＦ）コード化方式によるものである。
【００１４】
このようにコード化された音声信号は、それぞれの装置の音声信号出力及び入力において出力し及び入力することができる。
【００１５】
本発明による無線による送信器によれば、使用されるそれぞれの周波数帯及び／又は放射電力の選択は、コード化された音声信号によって制御される。音声信号の個々のコード化は、例えば送信器の製造者又はライセンスされたセンターのみに知られているのが一般的であるにも拘わらず、本発明の送信器においては、これを使用する個々の装着者がそれぞれの地域において承認された周波数帯及び／又は放射電力に合わせて送信器を容易にプログラム変更することが可能である。個々の音声信号源は、例えばＣＤとして製造者から購入することができる。装着者は、このような音声信号源に例えば国名コードを入力することにより送信器に関わるコード化されたそれぞれの音声信号を検索し、この音声信号を音声信号／制御信号デコーダを用いて復号化することにより、周波数帯及び／又は放射電力に関わるそれぞれの地域の要件に合わせて自己の送信器を再プログラムする。
【００１６】
本発明による送信器に関わる１つの好ましい実施の形態においては、前記デコーダの入力は、送信器の少くとも１つの音声信号入力タブに接続される。この入力タブには、一般的に音声信号源の種類を問わず、その音声信号出力からのコード化された音声信号を適用することができる。
【００１７】
この入力タブは少くとも１つの外部の音声信号源に接続可能とされる。このような音声信号源は、好ましくはマイクロホン、インターネット接続装置及びオーディオプレイヤの少くとも１つとすることができる。オーディオプレイヤは、例えばＭＰ３プレイヤ、ＣＤプレイヤ、テーププレイヤ、ＤＶＤプレイヤ、等である。
【００１８】
本発明による送信器の音声信号入力タブを例えばマイクロホンに接続した場合、必要に応じて音響カプラ技術を用いて電話接続を介してコード化された音声信号を入力することが可能となる。入力タブを、コンピュータ又はラップトップコンピュータのオーディオ出力のようなインターネット接続装置の音響出力に接続した場合は、それぞれの必要に応じて装着者は、例えば装置製造者のサーバからそれぞれのコード化された音声信号ファイルを受取り、送信器をそれぞれの地域の要件に合わせて再プログラムすることができる。送信器におけるこのような入力タブをオーディオプレイヤの音声信号出力に接続し、このようなプレイヤのための、例えば国毎にコード化された音声信号を含む音声信号キャリア又は記憶媒体を用いることにより、個々の装置使用者は例えば国名コードに基づいてそれぞれのコード化された音声信号を入力することにより自己の送信器を再プログラムすることが容易に可能である。
【００１９】
本発明による送信器に関わる好ましい実施の形態においては、送信信号生成装置は搬送周波数信号入力と出力を有する変調装置を備える。この変調装置の出力は送信信号生成装置の出力、従って送信器のアンテナに接続される。変調装置は、更に変調入力を有し、この変調入力は音声信号／制御信号デコーダ装置の入力に接続される。
【００２０】
既述のワイヤレスマイクロホン装置に関して、上記の実施の形態の無線による送信器を用いることにより、送信器の音声信号入力は、一方では、コード化された音声信号が適用される場合にそれぞれの周波数帯及び／又は放射電力をプログラムすることに使用され、また他方では、音声信号入力は変調装置に作用して、受信した音声入力の信号を搬送周波数信号上に変調させ、これがそれぞれの受信器、特にワイヤレスマイクロホンシステムにおける聴音装置の受信器に送信される。
【００２１】
この場合、送信される信号は、既知の変調技術の１つ、特に振巾変調、周波数変調、位相変調又はパルス変調技術、により実現することができる。
【００２２】
本発明による送信器の好ましい実施の形態において、音声信号／制御信号デコーダの音声信号入力に接続されたマイクロホンは送信器自体の内部に一体化される。また、好ましい実施の形態として、コード化された音声信号は、２階調多周波（ＤＴＭＦ）コード化方式によりコード化される。この発明の教示によるコード化は超音波オーディオ信号にまで適用可能であるが、好ましい形態として、アドレスされる音声信号、従ってアドレスされるコード化された音声信号は１００Ｈｚ〜２０ＫＨｚの周波数範囲のものとされる。
【００２３】
選択される１つ又はすべての周波数帯が１つの搬送周波数を含むことができ、従って事実上、周波数帯を選択する代りに、搬送周波数を選択することが可能である一方、好ましい実施の形態においては、選択される少くとも１つの周波数帯が予め選択された複数の搬送周波数を内包する。次いで、選択された周波数帯の範囲内で、装着者が適用すべき搬送周波数を選択する。最も好ましくは、コード化された音声信号により、少くとも周波数帯の１つの範囲内で、複数の分離搬送周波数が定義される。
【００２４】
更に、本発明は無線による聴音システムに関し、この聴音システムは、電気／機械出力トランスデューサに接続された無線による受信器を含む聴音装置を備える。また、この聴音システムは、上述の本発明による無線による送信器を含み、この送信器から聴音装置において受信可能かつ変調可能とされる信号が送信される。
【００２５】
更に、本発明は、音声信号キャリア又は記憶媒体を提供する。この音声信号キャリア、例えば多数の国名毎にコード化された音声信号ファイルを含むＣＤやテープといったものである。
【００２６】
以下において、本発明を添付の図を参照して例示的により詳細に説明する。
【００２７】
図１は、本発明による無線による送信器に関わる１つの実施の形態を示す。ここにおいて、送信器１は破線による枠で囲まれて示されている。送信器１は、送信信号を生成する送信信号生成装置３を有する。送信信号生成装置３内には、搬送周波数の制御信号入力Ｃ５ を有する搬送周波数信号生成装置５が設けられている。搬送周波数の制御信号入力Ｃ５ は、制御信号入力Ｃ７ を有して周波数帯及び搬送周波数を選択する選択装置（ｓｅｌ．Ｂｄ）７に接続されている。制御信号入力Ｃ７ に適用される制御信号により、送信器１からの送信に用いられる周波数帯が先ず選択される。この選択は、制御信号入力Ｃ７ に適用される制御信号により、選択装置７内にプログラムされたそれぞれの周波数帯の切換接続を制御することによって実施することができる。
【００２８】
これは、適用可能なすべての周波数帯が選択装置７内に予めプログラムされている場合であり、制御信号入力Ｃ７ に適用される制御信号により、予めプログラムされた周波数帯のいずれに接続すべきかについての選択が実施される。
【００２９】
周波数帯を選択する別の好ましい手段においては、周波数帯を予め選択装置７内にプログラムしておくのではなく、制御信号入力Ｃ７ に適用される制御信号に応じて、使用すべき周波数帯が選択装置７内にプログラムされる。この手段により、送信器１内にはその時々に１つの周波数帯に関わる情報セットが出現する。
【００３０】
それぞれの周波数帯の範囲内では、通常複数の分離搬送周波数を選択することができる。１つの周波数帯において１つの搬送周波数ｆｃ のみが選択可能とされる場合は、制御信号入力Ｃ７ における制御信号が明らかにこの搬送周波数の選択を直接的に制御することができる。制御信号入力Ｃ７ に適用される制御信号により、複数の搬送周波数ｆｃ を、選択可能又はプログラム可能とされる少くとも１つの周波数帯において選択する場合は、制御信号入力Ｃ７ における制御信号がこれらの搬送周波数を定義する。好ましくは、図１に示すキー８を手動操作することによって、その時々に適用されるべき特定の搬送周波数（ｓｅｌ．ｆｃ ）が選択される。
【００３１】
上記のいずれの場合にも、制御信号入力Ｃ７ に適用される制御信号により、選択装置７内で付勢されるべき周波数帯が決定される。この周波数帯の範囲内で、キー８により選択装置７の制御信号入力Ｃ８ に適用されるそれぞれの制御信号によって、装着者は、好ましくは制御信号入力Ｃ７ に適用される制御信号によって同時に定義される一連の搬送周波数から分離搬送周波数を選択する。
【００３２】
選択装置７の制御信号入力Ｃ７ は、音声信号／制御信号デコーダ装置（Ａｕｄｉｏ  Ｄｅｃ．）９の出力Ａ９ に接続される。デコーダ装置９は音声信号入力Ｅ９ を有し、この音声信号入力Ｅ９ は、音声信号の入力のために送信器１の音声信号入力タブＴ９ に接続される。
【００３３】
送信器１の音声信号入力タブＴ９ は、音声信号源、好ましくは外部のマイクロホン又は音響／電気トランスデューサ１１及び／又は更なる音声信号源１３に接続される。この更なる音声信号源１３は、例えばインターネット接続装置や、ＭＰ３プレイヤ、ＣＤプレイヤ、テーププレイヤ、ＤＶＤプレイヤ等のオーディオプレイヤの音声信号出力とすることができる。
【００３４】
一方、本発明による送信器の好ましい形態として、送信器１自体に内蔵された又は一体化されたマイクロホン又は音響／電気トランスデューサ１１を設け、これらの装置をハード配線により音声信号／制御信号デコーダ装置９の音声信号入力に接続することができる。
【００３５】
コード化された音声信号を送信器１の音声信号入力タブＴ９ 及び／又は内蔵されたトランスデューサ１１に入力し、かつ、この音声信号入力を復号することによって、音声信号／制御信号デコーダ装置９の出力には、周波数帯選択制御信号が生成される。この信号が好ましくは更にこの帯域内で使用可能な特定の搬送周波数を定義し、かつ、選択装置７の制御信号入力Ｃ８ に適用された制御信号による搬送周波数の選択により、これに一致する個々の搬送周波数ｆｃ が選択され、この選択された搬送周波数ｆｃ により搬送周波数信号生成器５の作動が制御される。搬送周波数ｆｃ の信号が変調装置（Ｍｏｄ）１５に適用される一方、変調装置１５の変調入力ｍｏｄには変調信号が適用され、この変調信号の関数として搬送周波数信号が変調される。次いで、変調された搬送周波数信号は、出力増巾段１７を介して、送信器１の送信アンテナ１９に接続される。
【００３６】
本発明による送信器１の最も好ましい形態においては、変調装置１５の変調入力ｍｏｄは、音声信号／制御信号デコーダ装置９の音声信号入力Ｅ９ に接続される。これにより、送信器１の音声信号入力タブＴ９ に適用された音声信号は、搬送周波数信号生成装置５により生成された搬送周波数信号上に変調されて、アンテナ１９を介して送信される。又は、音声信号入力タブＴ９ に適用された音声信号がコード化されている場合は、この音声信号は音声信号／制御信号デコーダ装置９によりその旨が認識され、それぞれの制御又はプログラム信号に復号されて、上述の如く、それぞれの周波数帯を選択し、適用されるべきこの帯域内において制御信号入力Ｃ８ において選択可能とされた搬送周波数を定義する。
【００３７】
送信器の好ましい形態においてマイクロホン又は音響／電気トランスデューサ１１が送信器１内に一体化された場合も、上述の信号フローが適用されることは明白である。
【００３８】
図２は、本発明による送信器１に関わる別の実施の形態を示す図である。ここにおいて、図１のものと同じ入力、出力及び装置については、図１に用いたものと同じ符号が用いられる。
【００３９】
この実施の形態においては、予め選択されて固定された１つの搬送周波数ｆｃ が使用される。再び搬送周波数信号生成器５ａは、変調装置（Ｍｏｄ）１５において変調されるべき搬送周波数信号を生成する。出力増巾段１７ａは、図１の実施の形態とは異なり、出力電力選択制御信号入力Ｃ１７を有し、この制御信号入力Ｃ１７は電力レベル選択装置（Ｐ−ｓｅｌ．）２１の出力に接続される。電力レベル選択装置２１の制御信号入力Ｃ２１は、音声信号／制御信号デコーダ装置（Ａｕｄｉｏ  Ｄｅｃ．）９の制御信号出力Ａ９ に接続される。再び、このデコーダ装置９の音声信号入力Ｅ９ は、送信器１の音声信号入力タブＴ９ に接続されて、外部のマイクロホン又は音響／電気トランスデューサ１１の音声信号出力及び／又は図１に関して説明したように更なる音声信号源１３の音声信号出力に接続可能とされる。一方、好ましい形態として、送信器１内にマイクロホン又は音響／電気トランスデューサ１１を一体化して設け、これらの装置をハード配線により音声信号／制御信号デコーダ装置９の音声信号入力Ｅ９ に接続することができる。
【００４０】
この実施の形態において、図１に関わる説明と同様に、一体化されたマイクロホン及び／又は音声信号入力タブＴ９ にコード化されたそれぞれの音声信号が適用され、これがデコーダ装置９によりそれぞれ復号化されて、アンテナ１９を介して送信される信号の出力電力レベルが、例えば出力増巾段１７ａにおける適正な調整により選択され、実現される。
【００４１】
再び図２に示す実施の形態においても、デコーダ装置９における音声信号入力Ｅ９ は変調装置１５の変調入力ｍｏｄに接続される。
【００４２】
図３は、図１及び図２と同じ表示形態により、本発明による送信器１に関わる更に別の好ましい実施の形態を示す。ここにおいては、図１の実施の形態、即ちコード化された音声信号の制御による周波数帯の選択、及び図２の実施の形態、即ちコード化された音声信号の制御による送信信号の出力電力の調整、が組合わせて用いられる。ここで図１及び図２において用いられた同じ符号が適用されて示されており、この分野の熟練者には重復となるため、図３に関する更なる説明は省略する。
【００４３】
搬送周波数信号生成装置５（図１）、５ａ（図２）のそれぞれにおいて生成される搬送周波数信号の変調は、変調装置１５において、既知の変調技術、特に振巾変調、周波数変調、位相ないしは角度変調又はパルス変調等の技術のいずれかにより、それぞれの変調入力ｍｏｄに適用される信号の関数として実施される。上述のように、音声信号入力タブＴ９ 及び／又は内蔵されたマイクロホンに適用されて音声信号／制御信号デコーダ装置９の入力に導かれる音声信号のコード化は、好ましくは２階調多周波（ＤＴＭＦ）コード化方式により実施される。
【００４４】
図４は、本発明による聴音システムを示す略式図である。この聴音システムは、装着者の耳に作用する電気／機械トランスデューサ（ｅ／ｍ）３２を有する少くとも１つの聴音装置３０を備える。聴音装置３０は、図示のように、受信アンテナ３４を含む受信装置と復調装置（ＤＥＭ）３６を有する。更に、この聴音システムは、図１〜図３に関して説明され、従ってここでは更なる説明が省略される本発明による無線による送信器１を備える。送信器１の音声信号入力タブＴ９ 又は送信器１に内蔵されたマイクロホンに適用される音声信号（Ａｕｄｉｏ）及びコード化された音声信号（ｅｎｃ．Ａｕｄｉｏ）は、変調装置（Ｍｏｄ）において先ず搬送周波数信号を変調する。音声信号により変調された搬送周波数信号は、送信器１のアンテナ１９を介して聴音装置３０の受信アンテナ３４に送信される。
【００４５】
これによって、一体化されたマイクロホン及び／又は音声信号入力タブＴ９ に適用された音声信号は無線により聴音装置３０に送信され、この装置の装着者はこれを聴くことができるようになる。
【００４６】
それぞれの送信周波数帯及び／又は送信される信号電力は、図１〜図３に関して説明したように、コード化された音声信号を音声信号入力タブＴ９ 及び／又は内蔵されてハード配線されたマイクロホンに適用することにより選択される。分離搬送周波数の選択は、好ましくは、例えばキー８による手動操作により実施される。
【００４７】
上述のように、図１〜図３に示された送信器及び／又は図４に示された聴音システムを使用する装着者は、周波数帯及びこの周波数帯において適用される搬送周波数及び／又は送信電力に関して送信器１を容易にプログラム変更することができる。これは、例えば図５に示すように、音声信号キャリア又は記憶媒体２０を、例えばＣＤとして装着者に提供することにより実施される。このようなキャリア２０により、コード化された種々の音声信号（ｅｎｃ．  Ａｕｄｉｏ  １、２、３、・・・）のファイルを、ＣＤにおける種々のトラック（Ｔ１ 、Ｔ２ 、Ｔ３ 、・・・）上に記憶させることができる。
【図面の簡単な説明】
【図１】
周波数帯を選択する本発明による無線による送信器に関わる１つの好ましい実施の形態を示す信号フロー／機能ブロック略式線図。
【図２】
有効放射出力電力を選択する本発明による送信器に関わる別の好ましい実施の形態を示す図１と類似の信号フロー／機能ブロック略式線図。
【図３】
送信信号の周波数帯及び有効放射出力電力を選択する本発明による送信器に関わる更に別の好ましい実施の形態を示す図１及び図２と類似の信号フロー／機能ブロック略式線図。
【図４】
基本的に無線による受信器と本発明による送信器を含む聴音装置を備えた本発明による無線による聴音システムを示す略式図。
【図５】
本発明による送信器を装着者がプログラムするために使用される本発明による音声信号キャリアに関わるファイル構造を示す略式図。
【国際公開パンフレット】
2004525529.tif 000003
2004525529.tif 000004
2004525529.tif 000005
2004525529.tif 000006
2004525529.tif 000007
2004525529.tif 000008
2004525529.tif 000009
2004525529.tif 000010
2004525529.tif 000011
2004525529.tif 000012
2004525529.tif 000013
2004525529.tif 000014
2004525529.tif 000015
2004525529.tif 000016
2004525529.tif 000017
2004525529.tif 000018
2004525529.tif 000019
2004525529.tif 000020
2004525529.tif 000021
2004525529.tif 000022
2004525529.tif 000023
【国際公開パンフレット（コレクトバージョン）】
2004525529.tif 000024
2004525529.tif 000025
【国際調査報告】
2004525529.tif 000026
2004525529.tif 000027